(57)【特許請求の範囲】
【請求項１】
水洗便器の便器本体（Ｐ）の側壁に固定される取付け台座（１１）と、
上端が上記取付け台座に対して所定の角度範囲内で軸中心に回転可能なよう取り付けられ、水洗便器への設置時には水洗便器の内壁面に沿って略鉛直となるよう配置され、上端には温水導入口（１２１）が設けられた回転シリンダ管（１２）と、
短軸方向に配列される噴水口（１３１ａ）の数よりも長軸方向に配列される噴水口（１３１ａ）の数を多くし、扇形の噴水流（Ｗ）を形成するよう構成された楕円状又は略長方形状のシャワー放出板（１３１）を有する扇形噴水式シャワーヘッド（１３）［本願において、「扇形噴水式シャワーヘッド」という。］と、
先端（１４１）には、上記扇形噴水式シャワーヘッド（１３）が取り付けられ、基端部（１４２）は、上記回転シリンダ管の下半部の管壁に明けた通水孔（１２２）を通じて回転シリンダ管の内部と連通するよう回転シリンダ管の外周面に固着されたパイプ部材から成るシャワーヘッド付き旋回ブーム（１４）と、
上記回転シリンダ管内に収容され、回転シリンダ管の軸方向には移動可能なように、且つ、回り止め手段（１２３，１５２）によって回転シリンダ管に対しては相対的に回転不能なように保持されたピストン部材（１５）と、
上記回転シリンダ管（１２）内に挿入され、上端と下端間に軸中心のねじれが形成され、上端は前記取付け台座に対して固定され、中間部は上記ピストン部材の中心に明けた非円形の孔に遊びなく挿通された、軸直角断面がピストン部材の中心の上記非円形の孔（１５１）に対応する形状のねじれ案内バー（１６）と、
上記回転シリンダ管内の底面と上記ピストン部材の下面との間に収容され、ピストン部材を上方向へ押し上げるよう作用するコイルバネ（１７）と、
上記取付け台座に設けられ、温水供給装置の給水ホースからの温水を上記回転シリンダ管の上端の温水導入口へ導く管路手段（１８）とその流路の開閉及び流量調節を行うレバー付きバルブ（１９）と、を備え；
水洗便器への取付け時には、前記回転シリンダ管が水洗便器の片側の内壁面に沿って鉛直となるように且つ前記シャワーヘッド付き旋回ブームが水洗便器の片側の内壁面に沿って略水平となるように設置した上で、
使用時には、前記レバー付きバルブ（１９）の水量調節レバー（１９１）を操作し、温水供給装置からの温水を回転シリンダ管の上端の温水導入口（１２１）から回転シリンダ管（１２）内へ導入すると、その水圧により前記ピストン部材（１５）が前記コイルバネ（１７）の弾力に抗して下方へ移動せしめられ、その際、ピストン部材に挿通された前記ねじれ案内バー（１６）の作用によりピストン部材がその中心軸を中心に回転せしめられ、前記回り止め手段（１２３，１５２）を介して回転シリンダ管がピストン部材と共に回転せしめられることにより、当該回転シリンダ管に固着された前記シャワーヘッド付き旋回ブーム（１４）が旋回し、その先端の扇形噴水式シャワーヘッド（１３）が便器の中央へ向けて移動すると共に、ピストン部材が回転シリンダ管内でシャワーヘッド付き旋回ブームの基端の固着箇所より下方まで達すると、回転シリンダ管へ導入された温水がパイプ部材から成るシャワーヘッド付き旋回ブーム（１４）の内部を通じてその先端の扇形噴水式シャワーヘッド（１３）から噴出されることにより、前後方向に面状に広がる扇形の噴水流（Ｗ）によって臀部内面の洗浄が行われ、当該シャワー使用後に、前記水量調節レバー（１９１）を操作し、回転シリンダ管内への温水の供給を停止すると、前記コイルバネ（１７）の復元力によりピストン部材（１５）が上方へ向けて移動し、その際、ねじれ案内バー（１６）の作用によりピストン部材（１５）は当初とは逆方向に回転せしめられつつ原位置へ復帰すると共に、回転シリンダ管（１２）及びシャワーヘッド付き旋回ブーム（１４）もピストン部材と共に当初とは逆方向に回転せしめられて原位置へ復帰するよう構成されたこと；
を特徴とする水洗便器へのアタッチメント式臀部内面洗浄装置（１）。
【請求項２】
温水供給装置の給水ホースに接続される上記管路手段（１８）に、水洗便器内又は水洗タンク内へ直接排水する排水管路（１８ａ）が併設され、上記レバー付きバルブの水量調節レバー操作により、給水ホースからの水が冷水の間は当該冷水を上記排水管路へ流し、給水ホースからの水が温水となったときは当該温水を前記回転シリンダ管とシャワーヘッド付き旋回ブームへ流すよう切換え可能に構成されたことを特徴とする請求項１に記載の水洗便器へのアタッチメント式臀部内面洗浄装置（１）。
【請求項３】
上記シャワーヘッド付き旋回ブーム（１４）のブームの長さを調節可能としたことを特徴とする請求項１又は２のいずれか一項に記載の水洗便器へのアタッチメント式臀部内面洗浄装置（１）。
【請求項４】
上記シャワーヘッド付き旋回ブーム（１４）の先端に取り付けられる扇形噴水式シャワーヘッド（１３）の取付け角度を調節可能としたことを特徴とする請求項１又は２のいずれか一項に記載の水洗便器へのアタッチメント式臀部内面洗浄装置（１）。
【発明の詳細な説明】
【技術分野】
【０００１】
本発明は、被介護者の排便後の臀部内面全体の洗浄に適した水洗便器へのアタッチメント式臀部内面洗浄装置に関するものである。
【背景技術】
【０００２】
高齢者介護においては排泄物処理が最大の問題の一つである。排便、排尿をおむつで受け止めている場合には臀部内側全体に汚物が付着していることが多く、その処理は簡単ではない。
便器に取り付けられている従来公知の温水洗浄便座は、臀部を必要以上に濡らさないようにとの観点から、ビーム状に吐出する１〜４本の水流で、肛門、陰部を局部的にのみ洗浄するものであり、臀部内側を全体的に面的な広がりをもって洗浄するものではない。
例えば、下記特許文献１〜３に記載のトイレ装置等も、肛門等の局部をピンポイント的に洗浄するのには好適であるが、臀部内側全体に広く付着した汚物を洗い流すには必ずしも適してはいなかった。
そのため、臀部に広く付着した汚れを除去する際には、ボトルなどで少量の水をかけ、紙・布等で拭き取っているのが実情である。これでは汚物や臭気を十分に取り除くことはできない上、作業時間はかかり、さらには拭き取ることにより皮膚を傷め、爛れや感染症の原因となることも少なくない。一度爛れができると悪循環に陥り、なかなか根本的な治癒に至らない。その結果、感染症を引き起こしたり、痛みのために座ることが困難になり寝たきり状態になる引き金となることもしばしばである。
【０００３】
【特許文献１】特開平５−２３０８５４号公報
【特許文献２】特開平５−２５５９６５号公報
【特許文献３】特開２００３−１４７８３５号公報
【発明の開示】
【発明が解決しようとする課題】
【０００４】
本発明は、上記の問題点を解決するためなされたものであり、その目的とするところは、被介護者等の肛門、陰部を局部的にのみ洗浄するのではなく、それらを含めた臀部内側全体を、臀部内側凹部に沿って面的に吐出する大量の温水シャワーで洗浄することにより、最も不潔になりやすい臀部の清潔を保ち、被介護者等の衛生性と快適性を実現し、加えて介護者の作業時間を短縮し、労働量を軽減し得る水洗便器へのアタッチメント式臀部内面洗浄装置を提供することにある。
【課題を解決するための手段】
【０００５】
請求項１に係る発明は、本発明の前記目的を達成するため、水洗便器に取り付けて用いるアタッチメント方式の水圧駆動式臀部内面洗浄装置を提供するものであり、その構成は、
水洗便器の便器本体の側壁に固定される取付け台座と、
上端が上記取付け台座に所定の角度範囲内で軸中心に回転可能なよう取り付けられ、水洗便器への設置時には水洗便器の内壁面に沿って略鉛直となるよう配置され、上端には温水導入口が設けられた回転シリンダ管と、
短軸方向に配列される噴水口の数よりも長軸方向に配列される噴水口の数を多くし、扇形の噴水流を形成するよう構成された楕円状又は略長方形状のシャワー放出板を有する扇形噴水式シャワーヘッド［本願において、「扇形噴水式シャワーヘッド」という。］と、
先端には、上記扇形噴水式シャワーヘッドが取り付けられ、基端部は、上記回転シリンダ管の下半部の管壁に明けた通水孔を通じて回転シリンダ管の内部と連通するよう回転シリンダ管の外周面に固着されたパイプ部材から成るシャワーヘッド付き旋回ブームと、
上記回転シリンダ管内に収容され、回転シリンダ管の軸方向には移動可能なように、且つ、回り止め手段によって回転シリンダ管に対しては相対的に回転不能なように保持されたピストン部材と、
上記回転シリンダ管内に挿入され、上端と下端間に軸中心のねじれが形成され、上端は前記取付け台座に対して固定され、中間部は上記ピストン部材の中心に明けた非円形の孔に遊びなく挿通された、軸直角断面がピストン部材の中心の上記非円形の孔に対応する形状のねじれ案内バーと、
上記回転シリンダ管内の底面と上記ピストン部材の下面との間に収容され、ピストン部材を上方向へ押し上げるよう作用するコイルバネと、
上記取付け台座に設けられ、温水供給装置の給水ホースからの温水を上記回転シリンダ管の上端の温水導入口へ導く管路手段とその流路の開閉及び流量調節を行うレバー付きバルブと、を備え；
水洗便器への取付け時には、前記回転シリンダ管が水洗便器の片側の内壁面に沿って鉛直となるように且つ前記シャワーヘッド付き旋回ブームが水洗便器の片側の内壁面に沿って略水平となるように設置した上で、
使用時には、前記レバー付きバルブの水量調節レバーを操作し、温水供給装置からの温水を回転シリンダ管の上端の温水導入口から回転シリンダ管内へ導入すると、その水圧により前記ピストン部材が前記コイルバネの弾力に抗して下方へ移動せしめられ、その際、ピストン部材に挿通された前記ねじれ案内バーの作用によりピストン部材がその中心軸を中心に回転せしめられ、前記回り止め手段を介して回転シリンダ管がピストン部材と共に回転せしめられることにより、当該回転シリンダ管に固着された前記シャワーヘッド付き旋回ブームが旋回し、その先端の扇形噴水式シャワーヘッドが便器の中央へ向けて移動すると共に、ピストン部材が回転シリンダ管内でシャワーヘッド付き旋回ブームの基端の固着箇所より下方まで達すると、回転シリンダ管へ導入された温水がパイプ部材から成るシャワーヘッド付き旋回ブームの内部を通じてその先端の扇形噴水式シャワーヘッドから噴出されることにより、前後方向に面状に広がる扇形の噴水流によって臀部内面の洗浄が行われ、当該シャワー使用後に、前記水量調節レバーを操作し、回転シリンダ管内への温水の供給を停止すると、前記コイルバネの復元力によりピストン部材が上方へ向けて移動し、その際、ねじれ案内バーの作用によりピストン部材は当初とは逆方向に回転せしめられつつ原位置へ復帰すると共に、回転シリンダ管及びシャワーヘッド付き旋回ブームもピストン部材と共に当初とは逆方向に回転せしめられて原位置へ復帰するよう構成されたこと；
を特徴とするものである。
このような構成を採用することにより、使用する温水の水圧のみで作動し、必要時に既存の水洗便器に取り付けて用いることのできるアタッチメント方式のコンパクトな臀部内面洗浄装置を提供し得るものである。
【０００７】
請求項２に係る発明は、請求項１の水圧駆動式臀部内面洗浄装置の望ましい実施形態に関するものであり、その構成は、
温水供給装置の給水ホースに接続される上記管路手段に、水洗便器内又は水洗タンク内へ直接排水する排水管路が併設され、上記レバー付きバルブの水量調節レバー操作により、給水ホースからの水が冷水の間は当該冷水を上記排水管路へ流し、給水ホースからの水が温水となったときは当該温水を前記回転シリンダ管とシャワーヘッド付き旋回ブームへ流すよう切換え可能に構成されたことを特徴とするものである。
このような構成を採用することにより、使用開始時の冷水が使用者の臀部に当たり不快感を与えるのを防止できる。
【０００８】
請求項３に係る発明は、請求項１又は２の水圧式の臀部内面洗浄装置の望ましい実施形態に関するものであり、その構成は、上記シャワーヘッド付き旋回ブームのブームの長さを調節可能としたことを特徴とするものである。
このような構成を採用することにより、男性が使用する場合と女性が使用する場合とで異なる最適なブームの長さに対応することができる。
【０００９】
請求項４に係る発明は、同様に、請求項１又は２の水圧式の臀部内面洗浄装置の望ましい実施形態に関するものであり、その構成は、上記シャワーヘッド付き旋回ブームの先端に取り付けられる扇形噴水式シャワーヘッドの取付け角度を調節可能としたことを特徴とするものである。
このような構成を採用することにより、シャワーヘッドからの温水の噴出角度を、性差や個人差に応じた最適な角度に調節することができる。
【００１０】
上記の如く、本発明によるときは、温水供給レバーをひねるだけで、または使用開始スイッチを入れるだけで被介護者本人あるいは介護者が、いつでも手軽に、短時間の内に効率よく臀部内側を全体的に洗浄することが可能となるものである。少し長い時間をかければ「お尻だけの入浴」も実現できる。
また、紙や布で拭き取るのではなく、温水での洗浄であるため、擦過傷などをつくることなく、被介護者に高いレベルでの清潔性と快適さを提供できること、介護者の作業時間と労働量を軽減できること、等々の効果も得られる。
なお、本発明に係る臀部内面洗浄装置等は、被介護者に限らず、通常の健康な人であっても、これを使用することにより、従来以上の清潔性と快適さを得ることができるので、被介護者を有する家庭内で共同で利用することも可能である。
【発明を実施するための最良の形態】
【００１１】
以下、図面を参照しつつ、本発明を実施するための最良の形態について説明する。
図１は、本発明に係る水圧駆動によるアタッチメント式臀部内面洗浄装置の一実施例を水洗便器に取り付けた状態で示す平面図、
図２は、本発明に係る臀部内面洗浄装置等に取り付けて用いられる扇形噴水式シャワーヘッドの一実施例の説明図、
図３は、図２に示した扇形噴水式シャワーヘッドによる洗浄状態を示す説明図、
図４は、図１に示したアタッチメント式臀部内面洗浄装置の不使用時の状態を示す説明図、
図５は、図４に示したアタッチメント式臀部内面洗浄装置の使用時の状態を示す説明図、
図６は、図４及び図５に示したアタッチメント式臀部内面洗浄装置の回転シリンダ管とピストン部材の組立て状態を示す軸直角断面図、
図７は、冷水及び温水の切換えと水量調節を行うためのバルブの操作を示す説明図、
図８は、図４、図５に示したアタッチメント式臀部内面洗浄装置のシャワーヘッド付き旋回ブームの長さの調節手段の一実施例を示す説明図である。
【００１２】
本発明は、前記の如く、使用者の臀部内側全体を、臀部内側凹部に沿って面的に吐出する大量の温水シャワーで洗浄することを目的とするものである。
この目的を達成するための洗浄装置としては、（Ａ）洗浄機能を持った従来の温水洗浄便座に大量の温水を吐出するシャワーノズルを追加することが最も適切であると考えられるが、（Ｂ）既設のトイレ装置とは独立した洗浄装置でも可能である。この場合、（Ｂ−１）電気的制御駆動装置を利用したものと、（Ｂ−２）電気を一切使わずに水圧のみで作動する装置の２種類が考えられる。
本発明は、既存の水洗便器に取り付けて使用するアタッチメント式の洗浄装置で、上記（Ｂ−２）の電気を一切使わずに水圧のみで作動する装置を提供するものである。以下、図１〜図８を参照しつつ説明する。
【００１３】
図１、図４、図５には、水圧のみで作動する洗浄装置１を、水洗便器の便器本体（便器鉢）Ｐに設置した状態が示されている。使用時には、この上に便座カバーを降ろして腰掛ける。
図１及び図４（Ａ）に示す如く、先端にシャワーヘッド１３のついた旋回ブーム１４は、不使用時には便器鉢の内部側面に寄せてあるが、使用時には、バルブ１９の水量調節レバー１９１をひねって、装置内に通水することにより、図５（Ａ）に示す如く、水圧で自動的に旋回し、ブーム先端のシャワーヘッド１３が便器中央部に移動して、使用者の臀部内面全体に向けて温水を吐出するようになっている。
【００１４】
旋回ブーム１４の先端に取り付けるシャワーヘッド１３としては小型のものを使用し、図２（Ａ）の平面図と同（Ｂ）の側面図に示すように、縦方向に湾曲させたシャワー放出板１３１に、多数の噴水孔１３１ａを縦長に配列することにより、臀部内側の凹部に沿って前後方向に広がる縦扇形の温水シャワーＷを吐出させるようになっている。
即ち、シャワーヘッド１３（本願において、「扇形噴水式シャワーヘッド」という。）は、楕円状又は略長方形状のシャワー放出板１３１を有し、その多数の噴水口１３１ａは、短軸方向に配列される数よりも長軸方向に配列される数を多くし、放出板１３１をその長軸方向に沿って外側へ向けて凸状に湾曲させることにより扇形の噴水流Ｗが形成されるようになっている。
そのため、この扇形の噴水流Ｗを使用者の臀部内側へ向けて放出すると、図３（Ａ）の正面図に示す左右方向の広がりよりも、同図（Ｂ）の右側面図に示す前後方向の広がりの方が広範囲となる縦長で面状の噴水流Ｗによって、汚れた臀部内面全体が洗浄されるものであり、従来の温水洗浄便座による１〜４本のビーム状の噴水流によるピンポイント洗浄に比べて、格段に効率良く、広範囲で衛生的な洗浄が行われ得るものである。
即ち、図２に示すような扇形噴水式シャワーヘッド１３を用いることにより、水洗便器の便座に腰掛けた使用者の臀部Ｈの下方から左右の臀部の間へ向けて、左右方向の数よりも前後方向の数が多くなるよう配列された多数条の扇形噴水流Ｗから成る温水シャワーが噴射され、左右の臀部内面に当たる面状の水流で臀部内面全体が洗浄されるものである。
ここで「多数条」とは、望ましくは１０条以上、１００条以下、一層望ましくは２０条以上、５０条以下とされるものである。噴水流の数が１０条未満であると、面状に広がる充分な水流が得られず、他方、１００条を超えると無駄に消費される温水が多くなるためであり、更にまた、２０条以上、５０条以下の範囲が面状の水流形成及び温水供給効率の点で最も好適であるからである。
従って、シャワー放出板１３１に明けられる「多数」の噴水口１３１ａの数も、望ましくは１０個以上、１００個以下、一層望ましくは２０個以上、５０個以下とされるものである。
【００１５】
なお、上記実施例においては、シャワーヘッド１３の楕円状又は略長方形状のシャワー放出板１３１を、長軸方向に沿って外側へ向けて凸状に湾曲させることにより扇形の噴水流Ｗが形成されるように構成したが、シャワー放出板１３１が肉厚の部材である場合には、噴水口１３１ａの穿孔角度を中央領域のものから端部領域のものへ向かうに従って次第に傾斜させることによっても、扇形の噴水流Ｗを形成することが可能である。
即ち、放出板１３１の中央領域の噴水口１３１ａは、放出板１３１の主平面に対して垂直となるように明け、端部領域へ向かうに従って次第に外側へ向けて傾斜させるように明けることにより、それらの噴水口から噴出される水流を全体として扇形に形成し得るものである。
【００１６】
以下、図１、図４、図５に示したアタッチメント式の臀部内面洗浄装置１の構成及び作動について説明する。
この洗浄装置１は、取付け台座１１、回転シリンダ管１２、扇形噴水式シャワーヘッド１３、旋回ブーム１４、ピストン部材１５、ねじれ案内バー１６、コイルバネ１７、管路手段１８、バルブ１９、等々から構成されている。
洗浄装置１は、取付け台座１１に備えられたクランプ等により水洗便器の便器鉢Ｐに固定され、その際、取付け台座１１に直接的又は間接的に取り付けられた回転シリンダ管１２が便器鉢内で略鉛直となるようにセットされる。
本装置の動作は、管路手段１８を通じて回転シリンダ管１２に通水すると、その水圧により回転シリンダ管１２内のピストン部材１５が下に押し下げられ、これと同時に旋回ブーム１４をその先端が便器中央にくるまで回転させ（図５）、中央にきたところで先端の扇形噴水式シャワーヘッド１３から大量の温水が放出される。
洗浄が終わり通水を止めると、回転シリンダ管１２内のコイルバネ１７の反発力によりピストン部材１５が上に押し上げられ、これと同時に旋回ブーム１４が便器鉢側面の元の位置まで自動的に戻る。
ピストン部材１５を回転させるためのねじれ案内バー１６と、その回転を回転シリンダ管１２に伝えるための回り止め手段１２３及び１５２（図６）が設けられる。
【００１７】
以下、より具体的に説明する。
取付け台座１１は、洗浄装置１を水洗便器の便器本体Ｐの側壁に着脱可能なように固定するためのものであり、便器本体Ｐの外形に対応可能な形状を有すると共に、クランプ等の簡便で安定した固定手段を有する。
なお、取付け台座１１は、必ずしも便器本体Ｐのみによって支持されるものである必要はなく、便器が設置されている床面に設置され、補助的に便器本体Ｐによって支持されるような台座であってもよい。
回転シリンダ管１２は、その上端が上記取付け台座１１に対して直接的又は所要の部材を介して間接的に取り付けられ、その際、ベアリング等を介して所定の角度範囲内で軸中心に回転可能なように取り付けられる。
また、回転シリンダ管１２の上端には、管路手段１８へ通じる温水導入口１２１が設けられる。
洗浄装置１を便器本体Ｐに取り付けるときは、回転シリンダ管１２が便器鉢の内壁面に沿って略鉛直となるようにセットする。
【００１８】
パイプ部材から成るシャワーヘッド付き旋回ブーム１４の先端１４１には、前記扇形噴水式シャワーヘッド１３が取り付けられる。
旋回ブーム１４の基端部１４２は、上記回転シリンダ管１２の下半部の管壁に明けた通水孔１２２の箇所で、回転シリンダ管の外周面に固着され、前記温水導入口１２１から回転シリンダ管内に導入された温水が、通水孔１２２から旋回ブーム１４の内部を通じてシャワーヘッド１３へ送られ、放出されるようになっている。
【００１９】
ねじれ案内バー１６は、回転シリンダ管１２内でピストン部材１５が上下に移動する際に、ピストン部材に回転を付与する部材である。
図示した実施例におけるねじれ案内バー１６は、扁平な串状の部材から成り、回転シリンダ管１２内にその中心軸に沿って挿入され、図４（Ｃ）及び図５（Ｃ）に示す如く、上端と下端間に軸中心のねじれが形成されている。
ねじれ案内バー１６の上端は前記取付け台座１１に対して直接的又は所要の部材を介して間接的に固定され、中間部はピストン部材１５の中心に明けた非円形の孔１５１（図６参照）に遊びなく挿通されている。
ピストン部材１５の非円形の孔１５１に遊びなく挿通するために、ねじれ案内バー１６の軸直角断面は、ピストン部材の上記非円形の孔１５１に対応する形状に形成されている。
【００２０】
ピストン部材１５は、回転シリンダ管１２内に収容され、回転シリンダ管の軸方向には移動可能なように、且つ、回り止め手段によって回転シリンダ管に対しては相対的に回転不能なように保持される。
回り止め手段の一例としては、例えば図６（イ）に示す如く、回転シリンダ管１２の内壁面にその軸方向に沿って上から下まで直線状に延びるスプライン突条１２３を形成すると共に、ピストン部材１５の外周面には、上記スプライン突条１２３に対応する切欠き１５２を形成したものを採用できる。
スプライン突条１２３と切欠き１５２が嵌まり合っているため、ピストン部材１５と回転シリンダ管１２とは相対的に回転は不能であるが、ピストン部材１５は上下方向にはスプライン突条１２３に沿って移動可能なものである。
回り止め手段のもう一つの例としては、例えば図６（ロ）に示す如く、ピストン部材１５の適宜の箇所に、ピストン部材１５の中心軸と平行にその上面から下面へ貫通する孔１５３を明けておき、この孔に、回転シリンダ管１２の中心軸と平行に上下方向に延びる回り止め棒１５４を挿通する。回り止め棒１５４の上端及び／又は下端は回転シリンダ管１２に固定する。
この場合、回り止め棒１５４がピストン部材１５の孔１５３に挿通されているため、ピストン部材１５と回転シリンダ管１２とは相対的に回転は不能であるが、ピストン部材１５は上下方向には移動可能である。
【００２１】
回転シリンダ管１２の底面とピストン部材１５の下面との間には、コイルバネ１７が収容され、ピストン部材１５を上方向へ押し上げる作用をするようになっている。
【００２２】
前記取付け台座１１には、温水供給装置の給水ホースからの温水を回転シリンダ管１２の上端の温水導入口１２１へ導く管路手段１８と、その流路の開閉及び流量調節を行う水量調節レバー１９１の付いたバルブ１９とが設けられる。
【００２３】
上記の如く構成された、アタッチメント式の洗浄装置１を水洗便器に取り付ける時は、回転シリンダ管１２が水洗便器の片側の内壁面に沿って鉛直となるように且つ前記シャワーヘッド付き旋回ブーム１４が水洗便器の片側の内壁面に沿って略水平となるように設置する。
【００２４】
この洗浄装置１の使用時には、前記レバー付きバルブ１９の水量調節レバー１９１を操作し、温水供給装置のからの温水を回転シリンダ管の上端の温水導入口１２１から回転シリンダ管１２内へ導入する。
そうすると、その水圧によりピストン部材１５がコイルバネ１７の弾力に抗して下方へ移動せしめられ、その際、ピストン部材に挿通されたねじれ案内バー１６の作用によりピストン部材１５がその中心軸を中心に回転せしめられる。
然るときは、前記回り止め手段１２３，１５２を介して回転シリンダ管１２がピストン部材１５と共に回転せしめられ、これにより、回転シリンダ管１２に固着されたシャワーヘッド付き旋回ブーム１４が旋回し、その先端の扇形噴水式シャワーヘッド１３が便器の中央へ向けて移動する。
このようにして、ピストン部材１５が回転シリンダ管１２内で旋回ブーム１４の基端の固着箇所、即ち、通水口１２２の位置もしくはそれより下方まで達すると、回転シリンダ管へ導入された温水が、通水口１２２から旋回ブーム１４の内部を通じてその先端の扇形噴水式シャワーヘッド１３へ送られ、扇形の噴水流Ｗとなって噴出される。この前後方向に面状に広がる扇形の噴水流Ｗによって臀部内面の洗浄が行われるものである。
【００２５】
シャワー使用後には、前記水量調節レバー１９１を操作し、回転シリンダ管内への温水の供給を停止すると、コイルバネ１７の復元力によりピストン部材１５が上方へ向けて移動する。その際、ねじれ案内バー１６の作用によりピストン部材１５は当初とは逆方向に回転せしめられつつ原位置へ復帰する。
このとき同時に、前記回り止め手段１２３、１５２の作用により、回転シリンダ管１２及びシャワーヘッド付き旋回ブーム１４もピストン部材１５と共に当初とは逆方向に回転せしめられて、原位置へ復帰する。
【００２６】
なお、コイルバネ１７の復元力によりピストン部材１５が上方へ向けて復帰する際に、ピストン部材１５より上方に存在する回転シリンダ管１２内の水の逃げ場がなければ、ピストン部材１５の上方への移動が阻害される。
然しながら、通常は、ピストン部材１５に明けた前記非円形の孔１５１とねじれ案内バー１６との間の僅かな隙間や、回り止めのためのスプライン突条１２３と切欠き１５２との間の僅かな隙間などからの漏水があるため、ピストン部材１５の上方への移動は幾分緩慢ではあるが、支障なく行われる。
ただし、各部品が極めて高精度に作製され、上記漏水が生じ得ない場合には、例えば、ピストン部材１５に予め細孔を明けておき、当該細孔を通じてピストン部材１５より上方の水を下方へ逃がすようにすればよい。当該細孔のサイズは、回転シリンダ管１２内への温水導入時に、その水圧によるピストン部材１５の下方への移動に支障が生じない程度に、充分に小さな孔とすべきことは勿論である。
なお、回転シリンダ管１２から外部への水漏れについては、旋回ブーム１４の回転動作や、シャワーヘッド１３からの放水動作に支障がない限り、その水漏れを完全に防止する必要はない。漏れた水は便器内へ落下するので特に問題はなく、また、装置自体の表面洗浄効果も期待できるからである。
【００２８】
次に、扇形噴水式シャワーヘッド１３から放出される温水の切換え手段について説明する。
即ち、通水の始めは水温が低いので、水温が適温になるまでの間に流れる冷水は便器鉢か水洗タンクに排水し、適温になってからシャワーヘッド１３から放出するようにすることが望ましい。
図７には、そのための切換えと水量調節を行う水量調節レバー１９１を備えたバルブ１９と、その操作内容が記載されている。水量調節レバー１９１の回し具合で、シャワーヘッド１３からの出水量を調節する。
図７において、水量調節レバー１９１が（Ａ）の位置で完全に止水する。
（Ａ）から（Ｂ）の間は冷水を排水する。
（Ｂ）から（Ｃ）の間に温水が前記回転シリンダ管１２に流入し、旋回ブーム１４が回転し、シャワーヘッド１３から温水が吐出する。
そのため、本発明に係る洗浄装置１においては、温水供給装置（図では省略）の給水ホースに接続される上記管路手段１８に、水洗便器内又は水洗タンク内へ直接排水する排水管路１８ａ（図１）が併設され、上記レバー付きバルブ１９の水量調節レバー操作により、給水ホースからの水が冷水の間は当該冷水を排水管路１８ａへ流し、給水ホースからの水が温水となったときは当該温水を前記回転シリンダ管とシャワーヘッド付き旋回ブームへ流すよう切換え可能に構成されるものである。
このような構成を採用することにより、使用開始時の冷水が使用者の臀部に当たり不快感を与えるのを防止できる。
【００２９】
次に、扇形噴水式シャワーヘッド１３の位置と角度の調節について説明する。
女性の場合、男性よりもやや前方からの洗浄が好ましいので、扇形噴水式シャワーヘッド１３の位置を前方にずらすことが可能なように構成することが望ましい。
そのため、図８に示すように、例えば、旋回ブーム１４の先端に着脱可能なエクステンションパイプ１４３を接続できるようにすることが推奨される。
また、シャワーヘッドからの温水の吐出角度を、性差や個人差、好みに応じて調整することができるように、図８に示す如く、旋回ブーム１４の先端へのシャワーヘッド１３の取付け部分にボールジョイント１４４を設け、シャワーヘッドの取付け角度を調節可能とすることができる。この場合、２個の着脱用ジョイント１４５を介してボールジョイント１４４を取り付けるようにするとよい。
なお、シャワーヘッド１３の位置と角度の調節手段は、これらに限らず、各種形態のものを利用できる。
【００３０】
以上、必要時に、既存の水洗便器に取り付けて用いることのできるアタッチメント方式の臀部内面洗浄装置について説明してきた。
被介護者を一時的に有する家庭においては、このようなアタッチメント式の洗浄装置を利用することにより、便座自体が洗浄装置を備えたものを設置するよりも、臨機応変に対応できるメリットがある。
【００３１】
なお、本発明を実施するに当たっては、以下の点に留意する。
（１）本発明装置を機能させるには大量の温水を供給できることが必要である。
そのため給湯器からの配管による給水、もしくは電気瞬間温水器などを使用してトイレ内に温水を供給するための設備を設けることが望ましい。
（２）大量の温水を吐出するため、温水が便器外に飛散しないように便器本体と便座の間の空間に仕切り板を設けることが望ましい。
【００３２】
なお、本発明は上記の実施例に限定されるものではなく、例えば、扇形噴水式シャワーヘッドの形状、シャワーヘッド付き旋回ブームの駆動機構、回り止め手段、シャワーヘッドの位置及び角度の調節機構、等々は適宜設計変更することが可能であり、従って、本発明はその目的の範囲内において、上記の説明から当業者が容易に想到し得るすべての変更実施例を包摂するものである。
【産業上の利用可能性】
【００３３】
上記の如く、本発明によるときは、被介護者等の臀部内側全体を、扇形の面状に広がる大量の温水シャワーで洗浄することにより、最も不潔になりやすい臀部内面の清潔を保ち、被介護者等の衛生性と快適性を実現し、加えて介護者の作業時間を短縮し、労働量を軽減し得るものであるから、産業上多大の利用可能性を有するものである。
特に、これからの老人化社会における被介護者の増加が見込まれる状況において、本発明の有用性は一層増大するものである。
【図面の簡単な説明】
【００３４】
【図１】本発明に係る水圧駆動によるアタッチメント式臀部内面洗浄装置の一実施例を水洗便器に取り付けた状態で示す平面図である。
【図２】本発明に係る臀部内面洗浄装置等に取り付けて用いられる扇形噴水式シャワーヘッドの一実施例の説明図である。
【図３】図２に示した扇形噴水式シャワーヘッドによる洗浄状態を示す説明図である。
【図４】図１に示したアタッチメント式臀部内面洗浄装置の不使用時の状態を示す説明図である。
【図５】図４に示したアタッチメント式臀部内面洗浄装置の使用時の状態を示す説明図である。
【図６】図４及び図５に示したアタッチメント式臀部内面洗浄装置の回転シリンダ管とピストン部材の組立て状態を示す軸直角断面図である。
【図７】冷水及び温水の切換えと水量調節を行うためのバルブの操作を示す説明図である。
【図８】図４、図５に示したアタッチメント式臀部内面洗浄装置のシャワーヘッド付き旋回ブームの長さの調節手段の一実施例を示す説明図である。
【符号の説明】
【００３５】
１        アタッチメント式臀部内面洗浄装置
１１      取付け台座
１２      回転シリンダ管
１２１    温水導入口
１２２    通水口
１２３    スプライン突条
１３      扇形噴水式シャワーヘッド
１３１    シャワー放出板
１３１ａ  噴水口
１４      シャワーヘッド付き旋回ブーム
１４１    先端
１４２    基端部
１４３    エクステンションパイプ
１４４    ボールジョイント
１４５    着脱用ジョイント
１５      ピストン部材
１５１    非円形の孔
１５２    切欠き
１５３    回り止め棒の挿通孔
１５４    回り止め棒
１６      ねじれ案内バー
１７      コイルバネ
１８      管路手段
１８ａ    排水管路
１９      バルブ
１９１    水量調節レバー
Ｐ        便器本体（便器鉢）
Ｈ        臀部
Ｗ        扇形噴水流
【図１】
0005278875.tif 000002
【図２】
0005278875.tif 000003
【図３】
0005278875.tif 000004
【図４】
0005278875.tif 000005
【図５】
0005278875.tif 000006
【図６】
0005278875.tif 000007
【図７】
0005278875.tif 000008
【図８】
0005278875.tif 000009